(57)【要約】【課題】半田の使用量を減少させるとともに、陰極管の端子が破損するのを抑制することが可能な液晶表示装置用バックライト装置を提供する。【解決手段】このバックライトユニット１（液晶表示装置用バックライト装置）では、ケーブル線２０に取り付けられ、冷陰極管１０の端子１１が挿入される挿入孔５０ａを含む金属製の板材からなる端子部材５０をさらに備える。また、端子部材５０の外形は、丸型形状に形成されている。また、端子部材５０は、冷陰極管１０の延びる方向（図３の矢印Ｃ方向）がケーブル線２０の延びる方向（図３の矢印Ｄ方向）に対して実質的に垂直方向になるように、ケーブル線２０に取り付けられている。また、冷陰極管１０の端子１１は、端子部材５０の挿入孔５０ａに挿入された状態で半田付けされている。【選択図】図４
2006195223.tif 000002
【特許請求の範囲】
【請求項１】
端子を有する陰極管と、前記陰極管に電圧を供給するためのケーブル線と、前記陰極管の端子を覆うように取り付けられる絶縁性のカバー部材とを備えた液晶表示装置用バックライト装置において、
前記ケーブル線に取り付けられ、前記陰極管の端子が挿入される挿入孔を含む金属製の板材からなる端子部材をさらに備え、
前記端子部材の外形は、丸型形状に形成されており、
前記端子部材は、前記陰極管の延びる方向が前記ケーブル線の延びる方向に対して実質的に垂直方向になるように、前記ケーブル線に取り付けられており、
前記陰極管の端子は、前記端子部材の挿入孔に挿入された状態で半田付けされている、液晶表示装置用バックライト装置。
【請求項２】
端子を有する陰極管と、
前記陰極管に電圧を供給するためのケーブル線と、
前記ケーブル線に取り付けられ、前記陰極管の端子が挿入される挿入孔を含む金属製の板材からなる端子部材と、
前記陰極管の端子を覆うように取り付けられる絶縁性のカバー部材とを備え、
前記陰極管の端子は、前記端子部材の挿入孔に挿入された状態で半田付けされている、液晶表示装置用バックライト装置。
【請求項３】
前記端子部材の外形は、丸型形状に形成されている、請求項２に記載の液晶表示装置用バックライト装置。
【請求項４】
前記端子部材は、フック形状に形成されている、請求項２に記載の液晶表示装置用バックライト装置。
【請求項５】
前記端子部材は、前記陰極管の延びる方向が前記ケーブル線の延びる方向に対して実質的に垂直方向になるように、前記ケーブル線に取り付けられている、請求項２〜４のいずれか１項に記載の液晶表示装置用バックライト装置。
【発明の詳細な説明】
【技術分野】
【０００１】
この発明は、液晶表示装置用バックライト装置に関し、特に、陰極管に電圧を供給するためのケーブル線に取り付けられた端子部材を備えた液晶表示装置用バックライト装置に関する。
【背景技術】
【０００２】
従来、陰極管を備えたバックライトの構造が知られている（たとえば、特許文献１参照）。上記特許文献１には、Ｕ字形状に曲げ加工されたランプホルダに収納された冷陰極管のアース端子をランプホルダに半田付けするとともに、ランプホルダから導出されたリード線をコネクタに電気的に接続することによって、冷陰極管のアースをとることが可能なバックライト付き液晶表示装置が開示されている。
【０００３】
また、従来、陰極管の端子と陰極管に電圧を供給するためのケーブルとを接続する構造が知られている（たとえば、特許文献２参照）。この特許文献２では、ランプ電極をＬ字形状のコネクタの第１圧着部により圧着するとともに、ワイヤのワイヤ電極をＬ字形状のコネクタの第２圧着部により圧着した後、ランプ電極およびワイヤ電極が接続されたコネクタの部分を、シリコンやプラスチックなどにより形成されたランプホルダで覆うことによって、コネクタを絶縁するとともに、外部衝撃から保護している。しかしながら、この構造では、一般的に複数本の銅線からなるワイヤ電極を第２圧着部により強固に固定することが可能であるのに対して、一般的に金属製の棒状のランプ電極を第１圧着部により強固に固定するのが困難であるという問題点がある。
【０００４】
そこで、従来、陰極管と陰極管に電圧を供給するケーブルとを半田により接続する構造が知られている（たとえば、特許文献３参照）。上記特許文献３には、蛍光管の端子とリードとを電気的に接続するように設けられる半田により、アルミなどの熱伝導性の良い材料から形成される放熱板を蛍光管の端部に隣接するように取り付けるバックライト装置の構造が開示されている。この特許文献３に開示されたバックライト装置では、蛍光管の電極を効率良く放熱することにより、半田の劣化を抑制して、蛍光管の端子とリードとの接触不良を防止している。
【０００５】
また、近年、液晶表示装置の小型化にともない、液晶表示装置の表示領域以外の領域を狭くすることが求められている。このため、陰極管と、陰極管に電圧を供給するためのケーブル線とが垂直に接続された液晶表示装置用バックライト装置の構造が種々提案されている（たとえば、特許文献４および特許文献５参照）。
【０００６】
上記特許文献４には、コの字形状の冷陰極蛍光管を覆うように断面がＵの字形状に形成された反射板の背面側に、アルミなどからなる平坦面状の反射板を接触させることによって、冷陰極蛍光管の放熱を行うとともに、冷陰極蛍光管からの光を表面側に反射させることが可能なバックライトユニットの構造が開示されている。
【０００７】
また、上記特許文献５には、蛍光管の一方のリード端子と、電源供給用の一方のケーブルの芯線とを直交させた状態で半田付けした後、その半田付けされた接続部分を樹脂形成部により覆うように固めるとともに、蛍光管の他方のリード端子と、電源供給用の他方のケーブルの芯線とを半田付けした後、その半田付けされた接続部分にゴム製の保持部材（カバー部材）を嵌め込むことによって、蛍光管のリード端子と電源供給用のケーブルとの接続部分の機械的強度を増強する画照明装置の構造が開示されている。
【０００８】
図８は、従来の一例によるバックライトユニットの全体構成を示した平面図である。図９〜図１１は、図８に示した従来のバックライトユニットの詳細構造を説明するための図である。まず、図８〜図１１を参照して、従来のバックライトユニット１００の構造について説明する。
【０００９】
従来のバックライトユニット１００は、図８および図９に示すように、冷陰極管１１０と、冷陰極管１１０に電圧を供給するためのケーブル線１２０と、ケーブル線１２０に取り付けられるコネクタ１３０と、冷陰極管１１０およびケーブル線１２０を覆うように取り付けられるゴム製のカバー部材１４０とを備えている。
【００１０】
また、図１０および図１１に示すように、冷陰極管１１０の端部には、端子１１１が設けられている。この端子１１１は、ケーブル線１２０に電気的に接続されている。これにより、冷陰極管１１０の端子１１１に、電源を供給するための図示しないインバータ回路からの電圧がケーブル線１２０を介して印加される。
【００１１】
また、ケーブル線１２０は、絶縁性の被覆部１２１と、被覆部１２１により覆われる複数の銅線からなるより線１２２とを含んでいる。このケーブル線１２０の一方端部１２０ａは、図８に示すように、コネクタ１３０に接続されている。また、図１０および図１１に示すように、ケーブル線１２０の他方端部１２０ｂでは、電線部１２２を覆う被覆部１２１が剥がされて、端子部１２２ａが形成されている。この端子部１２２ａは、図１０に示すように、フック形状に形成されている。また、フック形状の端子部１２２ａは、冷陰極管１１０の端子１１１が挿入される挿入部１２２ｂを有している。また、図１１に示すように、冷陰極管１１０の端子１１１は、ケーブル線１２０のフック形状の端子部１２２ａの挿入部１２２ｂに挿入された状態で半田１５０が盛り付けられている。
【００１２】
また、図８に示すように、コネクタ１３０は、ケーブル線１２０の一方端部１２０ａを固定している。また、コネクタ１３０は、図示しないインバータ回路に接続されている。
【００１３】
また、図９〜図１１に示すように、ゴム製のカバー部材１４０は、四角柱部１４０ａと、円柱部１４０ｂとによりＬ字形状に形成されている。また、図１０および図１１に示すように、四角柱部１４０ａには、冷陰極管１１０および端子１１１が挿入される挿入孔１４０ｃが設けられている。また、円柱部１４０ｂには、ケーブル線１２０の端子部１２２ａが挿入される挿入孔１４０ｄが設けられている。この挿入孔１４０ｃおよび１４０ｄは、Ｌ字形状に形成されたカバー部材１４０の内部で連結するように形成されている。また、ゴム製のカバー部材１４０は、冷陰極管１１０の端子１１１とケーブル線１２０の端子部１２２ａとが接続された部分を覆うように取り付けられている。これにより、ゴム製のカバー部材１４０は、冷陰極管１１０の端子１１１とケーブル線１２０の端子部１２２ａとが接続される部分を保護する機能を有するとともに、上記接続される部分の外部に露出する部分を絶縁する機能を有している。
【００１４】
次に、図８、図１０および図１１を参照して、バックライトユニット１００の組立方法を説明する。まず、図１０に示すように、ゴム製のカバー部材１４０を図１０の矢印Ａ方向に移動させることによって、ケーブル線１２０の他方端部１２０ｂを、カバー部材１４０の円柱部１４０ｂの挿入孔１４０ｄに挿入する。さらに、この状態から、カバー部材１４０を移動させることによって、カバー部材１４０の四角柱部１４０ａの挿入孔１４０ｃを、ケーブル線１２０に挿入しておく。そして、冷陰極管１１０の端子１１１を、図１０の矢印Ｂ方向に移動させて、ケーブル線１２０の端子部１２２ａの挿入部１２２ｂに挿入する。また、この状態から、ケーブル線１２０の端子部１２２ａと冷陰極管１１０の端子１１１とが接続するように半田１５０（図１１参照）を盛り付ける。そして、冷陰極管１１０の端子１１１とケーブル線１２０の端子部１２２ａとが露出した部分を覆うように、
ケーブル線１２０に挿入しておいたカバー部材１４０を移動する。これにより、図８に示すように、バックライトユニット１００が完成する。
【特許文献１】特開平８−９５０３７号公報
【特許文献２】特開２００２−３０３８６８号公報
【特許文献３】国際公開番号ＷＯ０１−０６６９９５号
【特許文献４】特開２００１−３１１９４４号公報
【特許文献５】特開２００４−２２７００７号公報
【発明の開示】
【発明が解決しようとする課題】
【００１５】
図８〜図１１に示した従来のバックライトユニット１００では、複数の銅線からなる電線部１２２をフック形状に形成することによって端子部１２２ａが形成されているため、冷陰極管１１０の端子１１１を端子部１２２ａの挿入部１２２ｂに挿入する際に、冷陰極管１１０の端子１１１がケーブル線１２０の端子部１２２ａに接触することにより、端子部１２２ａの形状が変化する場合があるという不都合があった。そして、このように形状が変化した状態で半田付けを行うと、その端子部１２２ａの形状が変化した部分を覆うように半田１５０を厚く盛り付ける必要があり、その結果、半田１５０の使用量が増加するという問題点があった。また、この状態から、ケーブル線１２０に挿入していたゴム製のカバー部材１４０を移動させる際に、厚く盛られた半田１５０に移動が妨げられるため、カバー部材１４０をある程度強引に移動させる必要があるという不都合があった。その結果、冷陰極管１１０の端子１１１が破損する場合があるという問題点があった。
【００１６】
また、上記特許文献１に開示されたバックライト付き液晶表示装置では、明記はされていないが、通常、冷陰極管の端子とケーブルとは、半田により電気的に接続されている。そのため、冷陰極管の端子とケーブルとを半田付けする際に、一般的に複数本の銅線からなるケーブルが、冷陰極管の端子と接触することにより、ケーブルの形状が変化する場合があるという不都合がある。そして、このように形状が変化した状態で半田付けを行うと、そのケーブルの形状が変化した部分を覆うように半田を厚く盛り付ける必要があり、その結果、半田の使用量が増加するという問題点がある。
【００１７】
また、上記特許文献３に開示されたバックライト装置では、蛍光管の端子とリードとを半田付けする際に、一般的に複数本の銅線からなるリード線が、蛍光管の端子と接触することにより、リード線の形状が変化する場合があるという不都合がある。そして、このように形状が変化した状態で半田付けを行うと、そのリード線の形状が変化した部分を覆うように半田を厚く盛り付ける必要があり、その結果、半田の使用量が増加するという問題点がある。
【００１８】
また、上記特許文献４に開示されたバックライトユニットでは、明記はされていないが、通常、冷陰極蛍光管の端子とケーブルとは、半田により電気的に接続されている。そのため、冷陰極蛍光管の端子とケーブルとを半田付けする際に、一般的に複数本の銅線からなるケーブルが、冷陰極蛍光管の端子と接触することにより、ケーブルの形状が変化する場合があるという不都合がある。そして、このように形状が変化した状態で半田付けを行うと、そのケーブルの形状が変化した部分を覆うように半田を厚く盛り付ける必要があり、その結果、半田の使用量が増加するという問題点がある。
【００１９】
また、上記特許文献５に開示された画照明装置では、ケーブルの芯線と蛍光管のリード端子とを半田付けする際に、一般的に複数本の銅線からなる芯線が、蛍光管のリード端子と接触することにより、ケーブルの芯線の形状が変化する場合があるという不都合がある。そして、このように形状が変化した状態で半田付けを行うと、その芯線の形状が変化し
た部分を覆うように半田を厚く盛り付ける必要があり、その結果、半田の使用量が増加するという問題点がある。
【００２０】
この発明は、上記のような課題を解決するためになされたものであり、この発明の１つの目的は、半田の使用量を減少させるとともに、陰極管の端子が破損するのを抑制することが可能な液晶表示装置用バックライト装置を提供することである。
【課題を解決するための手段】
【００２１】
上記目的を達成するために、この発明の第１の局面による液晶表示装置用バックライト装置は、端子を有する陰極管と、陰極管に電圧を供給するためのケーブル線と、陰極管の端子を覆うように取り付けられる絶縁性のカバー部材とを備えた液晶表示装置用バックライト装置において、ケーブル線に取り付けられ、陰極管の端子が挿入される挿入孔を含む金属製の板材からなる端子部材をさらに備え、端子部材の外形は、丸型形状に形成されており、端子部材は、陰極管の延びる方向がケーブル線の延びる方向に対して実質的に垂直方向になるように、ケーブル線に取り付けられており、陰極管の端子は、端子部材の挿入孔に挿入された状態で半田付けされている。
【００２２】
この第１の局面による液晶表示装置用バックライト装置では、上記のように、ケーブル線に、陰極管の端子が挿入される挿入孔を含む金属製の板材からなる端子部材を取り付けることによって、端子部材の挿入孔に挿入された陰極管の端子に半田付けする場合に、端子部材と陰極管の端子とが接触したとしても、端子部材が変形することがないので、容易に、端子部材の挿入孔の部分に半田付けすることができる。これにより、変形した端子部材を覆うように、半田を厚く盛り付ける必要がないので、半田の使用量を減少させることができる。また、この場合、陰極管の端子と端子部材とが半田付けされた部分に絶縁性のカバー部材を取り付ける際に、半田に妨げられることなく、カバー部材を移動させることができる。その結果、厚く盛られた半田に妨げられてカバー部材を強引に移動させる場合と異なり、陰極管の端子が破損するのを抑制することができる。また、陰極管の端子が挿入される挿入孔を含む端子部材を設けることによって、陰極管の端子が挿入された端子部材の挿入孔の部分に半田付けをする場合に、融解された半田を、表面張力により端子部材の挿入孔に流れ込ませることができる。その結果、端子部材の挿入孔に挿入された陰極管の端子と、端子部材とを、半田の厚みを大きくすることなく、容易に半田付けすることができる。また、端子部材の外形を、丸型形状に形成することによって、端子部材のカバー部材に挿入される部分が丸型になるので、容易に、カバー部材を端子部材に取り付けることができる。また、端子部材を、陰極管の延びる方向がケーブル線の延びる方向に対して実質的に垂直方向になるように、ケーブル線に取り付けることによって、陰極管に対して実質的に垂直にケーブル線を取り付けることができる。これにより、陰極管の延びる方向の液晶表示装置の幅を小さくすることができるので、液晶表示装置の小型化を図ることができる。
【００２３】
この発明の第２の局面による液晶表示装置用バックライト装置は、端子を有する陰極管と、陰極管に電圧を供給するためのケーブル線と、ケーブル線に取り付けられ、陰極管の端子が挿入される挿入孔を含む金属製の板材からなる端子部材と、陰極管の端子を覆うように取り付けられる絶縁性のカバー部材とを備え、陰極管の端子は、端子部材の挿入孔に挿入された状態で半田付けされている。
【００２４】
この第２の局面による液晶表示装置用バックライト装置では、上記のように、ケーブル線に、陰極管の端子が挿入される挿入孔を含む金属製の板材からなる端子部材を取り付けることによって、端子部材の挿入孔に挿入された陰極管の端子に半田付けする場合に、端子部材と陰極管の端子とが接触したとしても、端子部材が変形することがないので、容易に、端子部材の挿入孔の部分に半田付けすることができる。これにより、変形した端子部
材を覆うように、半田を厚く盛り付ける必要がないので、半田の使用量を減少させることができる。また、この場合、陰極管の端子と端子部材とが半田付けされた部分に絶縁性のカバー部材を取り付ける際に、半田に妨げられることなく、カバー部材を移動させることができる。その結果、厚く盛られた半田に妨げられてカバー部材を強引に移動させる場合と異なり、陰極管の端子が破損するのを抑制することができる。また、陰極管の端子が挿入される挿入孔を含む端子部材を設けることによって、陰極管の端子が挿入された端子部材の挿入孔の部分に半田付けをする際に、融解された半田を、表面張力により端子部材の挿入孔に流れ込ませることができる。その結果、端子部材の挿入孔に挿入された陰極管の端子と端子部材とを、半田の厚みを大きくすることなく、容易に半田付けすることができる。
【００２５】
上記第２の局面による液晶表示装置用バックライト装置において、好ましくは、端子部材の外形は、丸型形状に形成されている。このように構成すれば、端子部材のカバー部材に挿入される部分が丸型になるので、容易に、カバー部材を端子部材に取り付けることができる。
【００２６】
上記第２の局面による液晶表示装置用バックライト装置において、好ましくは、端子部材は、フック形状に形成されている。このように構成すれば、陰極管の端子が挿入された端子部材の部分に半田付けをする場合に、融解された半田をフック形状の端子部材の開口した部分に流れ込ませることができる。これにより、半田が形成される層を薄くすることができる。その結果、陰極管の端子と端子部材とが半田付けされた部分に絶縁性のカバー部材を取り付ける際に、半田に妨げられることなく、カバー部材を移動させることができる。
【００２７】
上記第２の局面による液晶表示装置用バックライト装置において、好ましくは、端子部材は、陰極管の延びる方向がケーブル線の延びる方向に対して実質的に垂直方向になるように、ケーブル線に取り付けられている。このように構成すれば、陰極管に対して実質的に垂直にケーブル線を取り付けることができる。これにより、陰極管の延びる方向の液晶表示装置の幅を小さくすることができるので、液晶表示装置の小型化を図ることができる。
【発明を実施するための最良の形態】
【００２８】
以下、本発明を具体化した実施形態を図面に基づいて説明する。
【００２９】
図１は、本発明の一実施形態によるバックライトユニットの全体構成を示した平面図である。図２〜図６は、図１に示した本発明の一実施形態によるバックライトユニットの詳細構造を説明するための図である。図１〜図６を参照して、本発明の一実施形態によるバックライトユニット１の構造について説明する。なお、本実施形態では、本発明の液晶表示装置用バックライト装置の一例としてのバックライトユニット１について説明する。
【００３０】
本発明の一実施形態によるバックライトユニット１は、図１および図２に示すように、冷陰極管１０と、冷陰極管１０に電圧を供給するためのケーブル線２０と、ケーブル線２０に取り付けられるコネクタ３０と、冷陰極管１０およびケーブル線２０を覆うように取り付けられるゴム製のカバー部材４０とを備えている。また、本実施形態の、バックライトユニット１では、図６に示すように、約０．１ｍｍ〜約０．２ｍｍの厚み（Ｘ）を有する金属製の板材からなる端子部材５０がケーブル線２０の先端に取り付けられている。なお、冷陰極管１０は、本発明の「陰極管」の一例である。また、図１に示すように、バックライトユニット１は、プリンタに収納されるプリンタ用液晶表示装置２の操作部（表示部）３の領域の外側に配置されている。
【００３１】
また、図３および図４に示すように、冷陰極管１０の端部には、端子１１が設けられている。この端子１１は、ケーブル線２０に電気的に接続されている。これにより、冷陰極管１０の端子１１に、図示しないインバータ回路からの電圧がケーブル線２０を介して印加される。
【００３２】
また、ケーブル線２０は、絶縁性の被覆部２１と、被覆部２１により覆われる複数の銅線からなる電線部２２とを含んでいる。このケーブル線２０の一方端部２０ａは、図１に示すように、コネクタ３０に接続されている。また、図３および図４に示すように、ケーブル線２０の他方端部２０ｂでは、電線部２２を覆う被覆部２１が剥がされて、電線部２２からなる端子部２２ａが形成されている。この端子部２２ａには、上記した端子部材５０が取り付けられている。
【００３３】
また、図１に示すように、コネクタ３０は、ケーブル線２０の一方端部２０ａを固定している。また、コネクタ３０は、電源を供給するための図示しないインバータ回路に接続されている。
【００３４】
また、図２〜図４に示すように、ゴム製のカバー部材４０は、四角柱部４０ａと、円柱部４０ｂとによりＬ字形状に形成されている。また、図３および図４に示すように、四角柱部４０ａには、冷陰極管１０および端子１１が挿入される挿入孔４０ｃが設けられている。また、円柱部４０ｂには、ケーブル線２０の他方端部２０ｂの端子部２２ａに取り付けられた端子部材５０が挿入される挿入孔４０ｄが設けられている。この挿入孔４０ｃおよび４０ｄは、Ｌ字形状に形成されたカバー部材４０の内部で連結するように形成されている。また、ゴム製のカバー部材４０は、冷陰極管１０の端子１１とケーブル線２０の端子部２２ａに取り付けられた端子部材５０とが接続された部分を覆うように取り付けられている。これにより、ゴム製のカバー部材４０は、冷陰極管１０の端子１１とケーブル線２０の端子部２２ａに取り付けられた端子部材５０とが接続される部分を保護する機能を有するとともに、上記接続される部分の外部に露出する部分を絶縁する機能を有している。
【００３５】
また、本実施形態では、図５に示すように、金属製の板材からなる端子部材５０の外形は、約１．６ｍｍの直径（Ｙ）を有する丸型形状に形成されている。また、端子部材５０には、冷陰極管１０の端子１１が挿入される約０．６ｍｍの直径（Ｚ）を有する挿入孔５０ａが形成されている。これにより、冷陰極管１０の端子１１が挿入される端子部材５０の挿入孔５０ａの部分に半田付けをする場合に、融解された半田６０（図４参照）を、表面張力により端子部材５０の挿入孔５０ａに流れ込ませることが可能となる。その結果、端子部材５０の挿入孔５０ａに挿入された冷陰極管１０の端子１１と、端子部材５０とを、容易に、半田付けすることが可能となる。また、端子部材５０には、ケーブル線２０の端子部２２ａを圧着するための取付部５０ｂが設けられている。これにより、端子部材５０の取付部５０ｂにケーブル線２０の端子部２２ａを挿入した状態で、端子部材５０の取付部５０ｂをケーブル線２０の端子部２２ａに圧着することによって、端子部材５０がケーブル線２０に取り付けられる。
【００３６】
また、本実施形態では、端子部材５０は、ケーブル線２０の延びる方向（図３の矢印Ｄ方向）に延びるようにケーブル線２０の電線部２２に取り付けられている。したがって、半田付け時に、冷陰極管１０の端子１１の延びる方向（図３の矢印Ｃ方向）に対して実質的に垂直な方向に延びるようにケーブル線２０を配置すれば、冷陰極管１０の延びる方向（図１のＦ方向）のプリンタ用液晶表示装置２の幅を小さくすることが可能となるので、プリンタ用液晶表示装置２の小型化を図ることが可能となる。
【００３７】
次に、図１、図３および図４を参照して、バックライトユニット１の組立方法を説明す
る。まず、図３に示すように、ゴム製のカバー部材４０を図３の矢印Ｅ方向に移動させることによって、ケーブル線２０の端子部２２ａに取り付けられた端子部材５０を、カバー部材４０の円柱部４０ｂの挿入孔４０ｄに挿入する。さらに、この状態から、カバー部材４０を図３の矢印Ｅ方向に移動させることによって、カバー部材４０の四角柱部４０ａの挿入孔４０ｃを、ケーブル線２０に挿入しておく。そして、冷陰極管１０の端子１１を、図３の矢印Ｃ方向に移動させて、ケーブル線２０の端子部２２ａに取り付けられた端子部材５０の挿入孔５０ａに挿入する。また、この状態から、端子部材５０および冷陰極管１０の端子１１を接続するように半田６０（図４参照）を盛り付ける。そして、冷陰極管１０の端子１１とケーブル線２０の端子部２２ａに取り付けられた端子部材５０とが露出した部分を覆うように、ケーブル線２０に挿入しておいたカバー部材４０を移動する。これにより、図１に示すように、バックライト１が完成する。
【００３８】
本実施形態では、上記のように、ケーブル線２０に、冷陰極管１０の端子１１が挿入される挿入孔５０ａを含む金属製の板材からなる端子部材５０を取り付けることによって、端子部材５０の挿入孔５０ａに挿入された冷陰極管１０の端子１１に半田付けする場合に、端子部材５０と冷陰極管１０の端子１１とが接触したとしても、端子部材５０が変形することがないので、容易に、端子部材５０の挿入孔５０ａの部分に半田付けすることができる。これにより、変形した端子部材５０を覆うように、半田６０を厚く盛り付ける必要がないので、半田６０の使用量を減少させることができる。また、この場合、冷陰極管１０の端子１１と端子部材５０とが半田付けされた部分にゴム製のカバー部材４０を取り付ける際に、半田６０に妨げられることなく、カバー部材４０を移動させることができる。その結果、図８〜図１１に示した従来のバックライトユニット１００のように、半田１５０に妨げられてカバー部材１４０をある程度強引に移動させる場合と異なり、冷陰極管１０の端子１１が破損するのを抑制することができる。
【００３９】
また、本実施形態では、冷陰極管１０の端子１１が挿入される挿入孔５０ａを含む端子部材５０を設けることによって、冷陰極管１０の端子１１が挿入された端子部材５０の挿入孔５０ａの部分に半田付けをする場合に、融解された半田６０を、表面張力により端子部材５０の挿入孔５０ａに流れ込ませることができる。その結果、端子部材５０の挿入孔５０ａに挿入された冷陰極管１０の端子１１と、端子部材５０とを、半田６０の厚みを大きくすることなく、容易に半田付けすることができる。
【００４０】
また、本実施形態では、端子部材５０の外形を、丸型形状に形成することによって、端子部材５０のカバー部材４０に挿入される部分が丸型になるので、容易に、カバー部材４０の円柱部４０ｂの挿入孔４０ｄを端子部材５０に挿入することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、液晶表示装置用バックライト装置の一例としてプリンタ用液晶表示装置のバックライトユニットを示したが、本発明はこれに限らず、液晶表示装置用バックライト装置であれば、プリンタ以外の機器に用いられる液晶表示装置にも適用可能である。
【００４３】
また、上記実施形態では、端子部材５０の外形を丸型形状にする例を示したが、本発明はこれに限らず、図７に示した変形例のように、約０．１ｍｍ〜約０．２ｍｍの厚み（Ｘ）を有する金属製の板材からなる端子部材７０をフック形状に形成してもよい。これにより、冷陰極管１０の端子１１が挿入された端子部材７０の挿入部７０ａに半田付けをする
場合に、融解された半田６０をフック形状の端子部材７０の開口部７０ｂに流れ込ませることができる。これにより、半田６０が形成される層を薄くすることができる。その結果、冷陰極管１０の端子１１と端子部材７０とが半田付けされた部分にゴム製のカバー部材４０を取り付ける際に、半田６０に妨げられることなく、カバー部材４０を移動させることができる。
【００４４】
また、上記実施形態では、端子部材を、冷陰極管の延びる方向がケーブル線の延びる方向に対して垂直方向になるように、ケーブル線に取り付ける例を示したが、本発明はこれに限らず、端子部材を、冷陰極管の端子とケーブル線とが垂直以外の所定の角度で交差するようにまたは一直線上に接続するように、ケーブル線に取り付けてもよい。
【図面の簡単な説明】
【００４５】
【図１】本発明の一実施形態によるバックライトユニットの全体構成を示した平面図である。
【図２】図１に示した本発明の一実施形態によるバックライトユニットの冷陰極管とケーブル線との接続部分の拡大斜視図である。
【図３】図１に示した本発明の一実施形態によるバックライトユニットの冷陰極管とケーブル線との接続部分の分解斜視図である。
【図４】図２の２００−２００線に沿った断面図である。
【図５】図１に示した本発明の一実施形態によるバックライトユニットの端子部材の平面図である。
【図６】図１に示した本発明の一実施形態によるバックライトユニットの端子部材の側面図である。
【図７】図１に示した本発明の一実施形態の変形例によるバックライトユニットの端子部材の正面図である。
【図８】従来の一例によるバックライトユニットの全体構成を示した平面図である。
【図９】図８に示した従来のバックライトユニットの冷陰極管とケーブル線との接続部分の拡大斜視図である。
【図１０】図８に示した従来のバックライトユニットの冷陰極管とケーブル線との接続部分の分解斜視図である。
【図１１】図９の３００−３００線に沿った断面図である。
【符号の説明】
【００４６】
１  バックライトユニット（液晶表示装置用バックライト装置）
１０  冷陰極管（陰極管）
１１  端子
２０  ケーブル線
４０  カバー部材
５０  端子部材
５０ａ  挿入孔
６０  半田
【図１】
2006195223.tif 000003
【図２】
2006195223.tif 000004
【図３】
2006195223.tif 000005
【図４】
2006195223.tif 000006
【図５】
2006195223.tif 000007
【図６】
2006195223.tif 000008
【図７】
2006195223.tif 000009
【図８】
2006195223.tif 000010
【図９】
2006195223.tif 000011
【図１０】
2006195223.tif 000012
【図１１】
2006195223.tif 000013